(57)【特許請求の範囲】
【請求項１】
樹脂製の枠内に難燃性のパネルを装着した樹脂製窓であって、
前記枠におけるパネルを境とした室内側部分と室外側部分とに、室内側金具と室外側金具がそれぞれ埋設され、
前記室内側金具と室外側金具はパネル支持部と躯体取付部を備え、その各躯体取付部を建物躯体に固着具で固着して取付けると共に、各パネル支持部がパネルの室内側面、室外側面、外周面と相対向して枠が溶融した場合にパネルを支持できるようにしたことを特徴とする樹脂製窓。
【請求項２】
室外側金具のパネル支持部と室内側金具のパネル支持部を、両側の相対向した縦面と横面でパネルの外周縁部分を囲む断面ほぼコ字状で周方向に連続したパネル支持凹部を形成するようにした請求項１記載の樹脂製窓。
【請求項３】
室外側金具は、環状の縦板と室内側方向に向かう筒体で断面鉤形のリング形状のパネル支持部と、この筒体に一体的に外周側に向けて設けた縦ヒレで直線状の躯体取付部を有し、
室内側金具は、環状の縦板より成るパネル支持部と、この縦板の外周側に設けた室内側方向に向う筒体より成る躯体取付部を有し、
前記室外側金具の環状の縦板、筒体と室内側金具の環状の縦板とでパネル支持凹部を形成し、
前記室外側金具の縦ヒレを建物躯体の室外側面に固着具で固着すると共に、室内側金具の筒体を建物躯体の開口部の内面に固着具で固着するようにした請求項２記載の樹脂製窓。
【請求項４】
樹脂製の室外側枠と樹脂製の室内側枠を接合して枠とし、
この室外側枠と室内側枠とでパネルをシール材を介して挟持して枠にパネルを装着し、
前記室外側枠に室外側金具を埋設し、室内側枠に室内側金具を埋設した請求項１記載の樹脂製窓。
【請求項５】
室内側金具を、パネル支持部と躯体取付部に分割し、そのパネル支持部を室内側枠に埋設すると共に、躯体取付部をパネル支持部に固着具で固着し、かつその固着部分を室外側枠と室内側枠の接合部を通して室内側枠の外周面に沿って室内側に延設し、
この躯体取付部を建物躯体の開口部の内面に固着具で固着し、前記室外側金具の躯体取付部を建物躯体の室外側面に固着具で固着するようにした請求項４記載の樹脂製窓。
【請求項６】
室外側金具のパネル支持部上に難燃性の支持ブロックを設け、該支持ブロック上にパネルを載置した請求項１〜５いずれか１項記載の樹脂製窓。
【請求項７】
室外側金具のパネル支持部はパネルの室外側面の全周と対向し、室内側金具のパネル支持部はパネルの室内側面の全周と対向し、枠が溶融した場合に各パネル支持部がパネルの室外側面、室内側面の全周を支持するようにした請求項１〜６いずれか１項記載の樹脂製窓。
【発明の詳細な説明】
【技術分野】
【０００１】
本発明は、樹脂製の枠内にガラスを装着した嵌め殺しタイプの樹脂製窓に関する。
【背景技術】
【０００２】
従来から樹脂製の枠内にガラスを装着した樹脂製窓が知られている。この樹脂製窓は断熱性能に優れ、室内と室外の温度差が大きい場合でも枠の室外側面と結露が生じないようにすることが可能である。
例えば、枠を構成する枠材を、樹脂製の本体内に金属芯材をインサートし、その金属芯材は本体よりも室内側に突出した固定用片を有するものとし、この枠材で枠を構成するようにしたことが特許文献１に開示されている。
【０００３】
【特許文献１】実開昭５９−１３４６８３号公報
【発明の開示】
【発明が解決しようとする課題】
【０００４】
前述した特許文献１に開示された枠材によって枠を構成し、その枠内にガラスを装着して窓とした場合に、その固定用片を建物躯体に固着して取付けることで、火災時に本体が溶融しても金属芯材が建物躯体から脱落しないようにできる。
しかし、ガラスは樹脂製の本体で支持するので、その樹脂製の本体が火災時に溶融するとガラスを支持できずに、そのガラスが脱落してしまうことがある。
【０００５】
本発明の目的は、火災時に樹脂製の枠が溶融した場合に、パネルが脱落しないようにした樹脂製窓を提供することである。
【課題を解決するための手段】
【０００６】
本発明は、樹脂製の枠内に難燃性のパネルを装着した樹脂製窓であって、
前記枠におけるパネルを境とした室内側部分と室外側部分とに、室内側金具と室外側金具がそれぞれ埋設され、
前記室内側金具と室外側金具はパネル支持部と躯体取付部を備え、その各躯体取付部を建物躯体に固着具で固着して取付けると共に、各パネル支持部がパネルの室内側面、室外側面、外周面と相対向して枠が溶融した場合にパネルを支持できるようにしたことを特徴とする樹脂製窓である。
【０００７】
本発明においては、室外側金具のパネル支持部と室内側金具のパネル支持部を、両側の相対向した縦面と横面でパネルの外周縁部分を囲む断面ほぼコ字状で周方向に連続したパネル支持凹部を形成するようにできる。
【０００８】
このようにすれば、枠が溶融した時にパネル外周面の下部が横面に接して落下しないように支持すると共に、パネル室外側面、室内側面の一方が縦面に接して外れないように支持することで、パネルが脱落しないようにできる。
【０００９】
本発明においては、室外側金具は、環状の縦板と室内側方向に向かう筒体で断面鉤形のリング形状のパネル支持部と、この筒体に一体的に外周側に向けて設けた縦ヒレで直線状の躯体取付部を有し、
室内側金具は、環状の縦板より成るパネル支持部と、この縦板の外周側に設けた室内側方向に向う筒体より成る躯体取付部を有し、
前記室外側金具の環状の縦板、筒体と室内側金具の環状の縦板とでパネル支持凹部を形成し、
前記室外側金具の縦ヒレを建物躯体の室外側面に固着具で固着すると共に、室内側金具の筒体を建物躯体の開口部の内面に固着具で固着するようにできる。
【００１０】
このようにすれば、室外側金具の縦ヒレを建物躯体の室内側面に固着具で固着し、室内側金具の筒体を建物躯体の開口部の内面に固着具で固着したことにより、窓を建物躯体の開口部に強固に取付けできる。
【００１１】
本発明においては、樹脂製の室外側枠と樹脂製の室内側枠を接合して枠とし、
この室外側枠と室内側枠とでパネルをシール材を介して挟持して枠にパネルを装着し、
前記室外側枠に室外側金具を埋設し、室内側枠に室内側金具を埋設することができる。
【００１２】
このようにすれば、室外側金具を埋設した室外側枠と、室内側金属を埋設した室内側枠を別々に射出成形などで製作し、その室外側枠と室内側枠を接合して窓とすることができ、その室外側枠、室内側枠を安価で簡単に作製できる。
【００１３】
本発明においては、枠を室外側枠と室内側枠を接合したものとした場合にその室内側金具を、パネル支持部と躯体取付部に分割し、そのパネル支持部を室内側枠に埋設すると共に、躯体取付部をパネル支持部に固着具で固着し、かつその固着部分を室外側枠と室内側枠の接合部を通して室内側枠の外周面に沿って室内側に延設し、
この躯体取付部を建物躯体の開口部の内面に固着具で固着し、前記室外側金具の躯体取付部を建物躯体の室外側面に固着具で固着するようにできる。
【００１４】
このようにすれば、躯体取付部を埋設した室内側枠を射出成形などで作製し、その躯体取付部に躯体取付部を固着具で固着して室内側金具を有した室内側枠とする。
この状態で室外側枠と室内側枠を接合することで窓とすることができ、その作業が簡単である。
また、窓を建物躯体の開口部に強固に取付けできる。
なお、この場合には室内側枠の躯体取付部は、室内側枠の室内側面よりも室内側に張り出し、張り出した部分を開口部の内面に固着具で固着することが好ましい。
【００１５】
本発明においては、室外側金具のパネル支持部上に難燃性の支持ブロックを設け、該支持ブロック上にパネルを載置するようにできる。
【００１６】
このようにすれば、枠が溶融した時に支持ブロックを介してパネルがパネル支持部に接するので、そのパネルの落下量を小さくできる。
【００１７】
本発明においては、室外側金具のパネル支持部はパネルの室外側面の全周と対向し、室内側金具のパネル支持部はパネルの室内側面の全周と対向し、枠が溶融した場合に各パネル支持部がパネルの室外側面、室内側面の全周を支持するようにできる。
【００１８】
このようにすれば、枠が溶融した時にパネルの室外側面、室内側面の全周を支持するから、パネルを安定して支持できる。
【発明の効果】
【００１９】
本発明によれば、火災時に枠が溶融した場合に、室外側金具と室内側金具が建物躯体に固着されて外れることがないと共に、室外側金具、室内側金具のパネル支持部でパネルを落下しないように支持するので、そのパネルが脱落することを防止できる。
また、室外側金具、室内側金具はパネル支持部と躯体取付部をそれぞれ有するので、各金具をそれぞれ建物躯体に固着し、その各パネル支持部でパネルを支持するから、枠が溶融した時にパネルが脱落しないようにしっかりと支持することができる。
【発明を実施するための最良の形態】
【００２０】
図１に示すように、樹脂製の枠１内にガラス等の難燃性のパネル２を装着して樹脂製窓としてある。
前記枠１におけるパネル２を境とした室外側部分と室内側部分とに、室外側金具３、室内側金具４がそれぞれ埋設（インサート）してある。例えば、枠１を合成樹脂を用いて射出成形する際に、室外側金具３、室内側金具４を射出成形用金型内にセットして枠１を射出成形すると同時に室外側金具３、室内側金具４を同時に埋設できるようにする。
前記室外側金具３、室内側金具４は、パネル支持部３ａ，４ａと躯体取付部３ｂ，４ｂを備えている。
前記各躯体取付部３ｂ，４ｂが建物躯体５に固着具６で固着して取付けてある。
前記パネル支持部３ａ，４ａはパネル２の室外側面２ａ、室内側面２ｂ、外周面２ｃと相対向し、枠１が溶融した場合にパネル２を支持できるようにしてある。好ましくは、各パネル支持部３ｂ，４ｂは、正常時にパネル２の室外側面２ａ、室内側面２ｂの全周とそれぞれ相対向し、枠１が溶融しパネル２が落下した際には各パネル支持部３ａ，４ａでパネル２の室外側面２ａ、室内側面２ｂの全周をそれぞれ支持し、パネル２を安定して支持できるようにしてある。
【００２１】
このようであるから、火災時に樹脂製の枠１が溶融した場合に、室外側金具３、室内側金具４が建物躯体５に取付けられていると共に、パネル２を支持するので、パネル２が脱落することを防止できる。
【００２２】
前記室外側金具３、室内側金具４の好ましい形態を説明する。
前記室外側金具３のパネル支持部３ａは、面内方向に向うと共に、パネル２の外周面２ｃよりも内方に張り出してパネル２の室外側面２ａと相対向した環状の縦板１０と、この縦板１０の外周縁と連続しパネル２の外周面２ｃと相対向した室内側方向に向う筒体１１で、断面鉤形で周方向に連続したリング形状である。
前記躯体取付部３ｂは、前記筒体１１の室内側端と一体的に連続して外周側に向う複数の縦ヒレ１２で直線状で、この各縦ヒレ１２が固着具６で建物躯体５の室外側面５ａに固着して取付けられる。なお、複数の縦ヒレ１２は一体で１つでも良い。
【００２３】
前記室内側金具４のパネル支持部４ａは面内方向に向うと共に、パネル２の外周面２ｃよりも内方に張り出してパネル２の室内側面２ｂと相対向した環状の縦板１３を有する。前記躯体取付部４ｂは、前記縦板１３の外周側に設けた室内側方向に向う筒体１４を有する。この筒体１４が建物躯体５の開口部５ｂの内周面に固着具６で固着して取付けられる。
前記各パネル支持部３ａ，４ａの縦板１０、筒体１１、縦板１３によってパネル２の外周縁部分を囲む断面ほぼコ字状で周方向に連続したパネル支持凹部１５を形成している。
そしてパネル２の外周縁の全周がパネル支持凹部１５内に嵌まり込み、パネル２の室外側面２ａ、室内側面２ｂの全周を支持している。
【００２４】
図２に仮想線で示すように前記枠体１が溶融することでパネル２は下方に動き、そのパネル２の外周面２ｃの下部が室外側金具３のパネル支持部３ａ（筒体１１）に接する。この実施の形態では支持ブロック１６がパネル支持部３ａに接する。
この状態で、パネル２の室外側面２ａ、室内側面２ｂの全周が各パネル支持部３ａ，４ａ（縦板１１，１３）に接してパネル２の脱落を防止する。なお、支持ブロック１６はなくとも良く、その場合にはガラス２の外周面２ｃが筒体１１に直接に接する。
【００２５】
この実施の形態では室外側金具３のパネル支持部３ａを鉤形とし、室内側金具４のパネル支持部４ａを直線状としたが、この反対の形状でも良いし、両方のパネル支持部３ａ，４ａを鉤形状としても良い。
つまり、両方のパネル支持部３ａ，４ａを、両側の相対向した縦面と横面とで、パネル２の外周縁部分を囲む断面ほぼコ字状で周方向に連続したパネル支持凹部１５を形成するものとすれば良い。
【００２６】
次に、各部材の具体形状を図１〜図９に基づいて説明する。
前記枠１は図１に示すように、室外側枠２０と室内側枠３０を接合し、パネル２をシール材を介して挟持するようにしてある。
前記室外側枠２０に室外側金具３が埋設され、室内側枠３０に室内側金具４が埋設してある。
このようにすることで、室外側枠２０、室内側枠３０を別々に作製、例えば射出成形することができるから、コスト安く簡単に作製できる。例えば、射出成形する場合に、その金型を小さくできる。
【００２７】
前記室外側枠２０の室内側面は、図１、図５に示すように、外周側の接合面２１と、内周側のパネル支持面２２と、このパネル支持面２２と接合面２１を連続する円形の内向面２３で階段形状で、そのパネル支持面２２に室外側シール材２４が装着してある。
前記内向面２３の下部には排水用凹部２５が形成され、この排水用凹部２５は孔２６で排水用部品２７の排水用流路２７ａに連通し、結露水を排水する。
前記室外側枠２０の外周面２０ａには取付け用プレート２８が一体的に設けてある。この取付け用プレート２８は矩形状である。
【００２８】
前記室外側金具３は図７に示すように、環状の縦板１０と筒体１１とより成るパネル支持部３ａと、その筒体１１の外周縁と一体的に連続して外周側に向う複数の縦ヒレ１２より成る躯体取付部３ｂを有している。
そして、環状の縦板１０、筒体１１、各縦ヒレ１２の基部（筒体１１寄り）が図１に示すように室外側枠２０内に埋設され、各縦ヒレ１２の先部が図５に示すように取付け用プレート２８の室内側面に接し、室外側から見えないようにしてある。好ましくは、取付け用プレート２８の室内側面２８ａと縦板１２の室内側面１２ａが面一となるようにしてある。
前記取付け用プレート２８から固着具６を縦ヒレ１２を貫通して建物躯体１に固着して取付用プレート２８と縦ヒレ１２を固着具６で固着して取付けている。
【００２９】
前記室内側枠３０の室外側面は、図１、図６に示すように外周側の接合面３１と、内周側のパネル支持面３２と、このパネル支持面３２と接合面３１を連続する円形の外向面３３で階段形状で、そのパネル支持面３２に室内側シール材３４が装着してある。
前記室外側枠２０と室内側枠３０は、その内向面２３と外向面３３を嵌合すると共に、接合面２１，３１相互を接し、図９に示すように室内側枠３０からビス３５を室外側枠２０に螺合して接合する。
これによって、室外側シール材２４がパネル２の室外側面２ａに押しつけられると共に、室内側シール材３４がパネル２の室内側面２ｂに押しつけられ、室外側枠２０と室内側枠３０でパネル２を気密・水密して挟持する。
【００３０】
前記室内側金具４は図１と図８に示すようにパネル支持部４ａと躯体取付部４ｂに分割されている。そのパネル支持部４ａが室内側枠３０に埋設され、その外周側部分が接合面３１と面一となるように露出している。例えば、前述の環状の縦板１３によってパネル支持部４ａとし、その縦板１３の外周側部分が接合面３１と面一となるようにしてある。
前記躯体取付部４ｂは、前記パネル支持部４ａの外周側部分に固着具１７で固着され、この固着部分が室外側枠２０と室内側枠３０の接合部を通って外周側まで突出し、かつ室内側枠３０の外周面に沿って室内側に延設され、その室内側枠３０の室内側面３０ａよりも張り出した部分を固着具６で建物躯体５の開口部５ｂの内面に固着される。
例えば、前記筒体１４の室外側端にリング状の内向片１４ａを設けて躯体取付部４ｂとし、その内向片１４ａを前記縦板１３の外周側部分に接して固着具１７で固着してある。
前記内向片１４ａが室外側枠２０の接合面２１に接する。
【００３１】
図１に示すように、パネル２の下部に支持ブロック１６を設け、枠１が溶融した時に図２に示すように、支持ブロック１６が室外側金具３のパネル支持部３ａ（筒体１１）に接すると共に、パネル２の下部が支持ブロック１６に接するようにしてあるので、枠１が溶融した時のパネル２の最大落下量を小さくできる。なお、支持ブロック１６は火災時に溶融しないような難燃性材料で作製してある。
このことによって、パネル２の上部と室外側金具３、室外側金具４のパネル支持部３ａ，４ａ（縦板１０，１３）が正常時に面内方向に重なり合う寸法（つまり、重なり代）を小さくできる。
【００３２】
特に、図１に示すように排水用凹部２５を形成した場合には、その排水用凹部２５のために、正常時のパネル２の外周面２ｃ下部と室外側金具３のパネル支持部３ａの横面（筒体１１）との間の寸法が大きくなるので、支持ブロック１６がなければ枠１が溶融した時のパネル２の落下量がより大きくなるので、前述の重なり代を大きくしなければならないが、支持ブロック１６を設けることで、前述のパネル２の落下量を小さくして前述の重なり代を小さくできる。
【００３３】
前記排水用凹部２５は、排水のため室外側に向けて下降傾斜しており、支持ブロック１６は下面１６ａがこれに対応して傾斜している。支持ブロック１６の上面は水平としてある。
この構成により、枠が溶融した際、支持ブロック１６の下面１６ａが筒体１１に接するので、支持ブロック１６およびパネル２は室内側に倒れるため、万一、枠からパネル２が外れても室外側に倒れることはない。
【００３４】
図１に示すように、建物躯体５の室内側に額縁４０が取付けてある。
この額縁４０は、建物躯体５の室内側面５ｃに接するフラン部４１と、建物躯体５の開口部５ｂ内に挿入する筒状部４２を有し、その筒状部４２で前記固着具６、筒体１４を室内側から見えないようにカバーしている。
【００３５】
前述の実施の形態では室外側金具３を建物躯体５の室外側面５ａに固着したが、これに限ることはなく建物躯体５の任意の位置、例えば開口部１５ｂの内面に固着しても良い。
また、室内側金具４を建物躯体５の開口部５ｂの内面に固着したが、これに限ることはなく建物躯体５の任意の位置、例えば、室内側面５ｃに固着しても良い。
前述の実施の形態では枠１を室外側枠２０と室内側枠３０を接合したものとしたが、一体としても良い。
前述の実施の形態では室内側金具４をパネル支持部４ａと躯体取付部４ｂに分割したが、一体でも良い。
【図面の簡単な説明】
【００３６】
【図１】本発明の実施の形態を示す樹脂製窓の取付け状態の断面図である。
【図２】枠が溶融した状態の断面図である。
【図３】窓の外観図である。
【図４】窓の内観図である。
【図５】室外側枠の内観図である。
【図６】室内側枠の外観図である。
【図７】室外側金具の外観図である。
【図８】室内側金具の外観図である。
【図９】図４のＡ−Ａ断面図である。
【符号の説明】
【００３７】
１…枠、２…パネル、３…室外側金具、３ａ…パネル支持部、３ｂ…躯体取付部、４…室内側金具、４ａ…パネル支持部、４ｂ…躯体取付部、５…建物躯体、６…固着具、１０…環状の縦板、１１…筒体、１２…縦板、１３…環状の縦板、１４…筒体、１５…パネル支持凹部、２０…室外側枠、３０…室内側枠。
【図１】
0004458488.tif 000002
【図２】
0004458488.tif 000003
【図３】
0004458488.tif 000004
【図４】
0004458488.tif 000005
【図５】
0004458488.tif 000006
【図６】
0004458488.tif 000007
【図７】
0004458488.tif 000008
【図８】
0004458488.tif 000009
【図９】
0004458488.tif 000010